(57)【要約】【課題】消費電力を効率的に削減することができる録画装置を実現する。【解決手段】放送休止チャンネル・時間帯抽出部１４が抽出した放送休止予定情報から、録画手段割当判定部１５が複数のチャンネルを組み合わせて録画手段に割り当て、割り当てられたチャンネルの番組を録画手段が録画し、録画手段停止判定部１８が、録画手段に割り当てられた複数のチャンネルの何れもが放送休止状態になったとき当該録画手段を停止する録画装置１。【選択図】図１
2013131931.tif 000002
【特許請求の範囲】
【請求項１】
複数のチャンネルの放送信号をそれぞれ受信するための複数の放送受信手段と、
複数の録画手段と、を備えた録画装置であって、
各チャンネルの放送休止時間帯を示す放送休止情報を前記放送信号から抽出する抽出手段と、
前記複数の放送受信手段の各々を、前記複数の録画手段の何れか一つに割り当てる割り当て手段と、
前記複数の録画手段を制御する制御手段と、を備え、
各録画手段は、該録画手段に割り当てられた複数の放送受信手段が受信する放送信号が示す映像をそれぞれ録画し、
前記制御手段は、ある録画手段に割り当てられた複数の放送受信手段にそれぞれ対応する複数のチャンネルの何れもが放送休止状態になったとき、当該録画手段を停止することを特徴とする録画装置。
【請求項２】
前記割り当て手段は、前記放送休止情報を参照し、前記複数のチャンネルのうち、互いに放送休止時間帯が重なる複数のチャンネルのそれぞれに対応する放送受信手段を、前記複数の録画手段の何れか一つに割り当てることを特徴とする請求項１に記載の録画装置。
【請求項３】
前記割り当て手段は、一の録画手段に割り当てるチャンネルの数と、当該一の録画手段に割り当てるチャンネルにおいて互いに重なる放送休止時間帯の長さとの積がより大きくなるように割り当て処理を行うことを特徴とする請求項２に記載の録画装置。
【請求項４】
前記放送信号から番組に関する情報を表す番組表情報を検出する番組表情報検出手段をさらに備え、
前記抽出手段は、前記番組表情報検出手段が検出した前記番組表情報から前記放送休止情報を抽出することを特徴とする請求項１から３の何れか１項に記載の録画装置。
【請求項５】
前記制御手段は、ある録画手段に割り当てられた複数の放送受信手段にそれぞれ対応する複数のチャンネルの何れかが放送を開始したとき、当該録画手段を起動することを特徴とする請求項１から４の何れか１項に記載の録画装置。
【請求項６】
請求項１から５の何れか１項に記載の録画装置を備えることを特徴とするテレビジョン受像機。
【請求項７】
複数のチャンネルの放送信号をそれぞれ受信するための複数の放送受信手段と、
複数の録画手段と、を備えた録画装置の制御方法であって、
各チャンネルの放送休止時間帯を示す放送休止情報を前記放送信号から抽出する抽出工程と、
前記複数の放送受信手段の各々を、複数の録画手段の何れか一つに割り当てる割り当て工程と、
前記割り当て工程において、各録画手段に割り当てられた複数の放送受信手段が受信する放送信号が示す映像をそれぞれ録画する録画工程と、
ある録画手段に割り当てられた複数の放送受信手段にそれぞれ対応する複数のチャンネルの何れもが放送休止状態になったとき、当該録画手段を停止する制御工程と、を含むことを特徴とする録画装置の制御方法。
【請求項８】
請求項１から５のいずれか１項に記載の録画装置を動作させるためのプログラムであって、コンピュータを前記各手段として機能させるためのプログラム。
【請求項９】
請求項８に記載のプログラムを記録したコンピュータ読み取り可能な記録媒体。
【発明の詳細な説明】
【技術分野】
【０００１】
本発明は、受信した放送番組を自動的に常時録画する録画装置、録画装置を備えるテレビジョン受像機、録画装置の制御方法、プログラムおよび記録媒体に関する。
【背景技術】
【０００２】
近年、受信した放送番組を自動的に常時録画する録画装置が提案されている。常時録画とは、受信した放送番組を録画し続ける機能である。このような録画装置は、録画する時間が長時間であるため、消費電力が大きくなってしまう。
【０００３】
消費電力を削減する方法としては、特許文献１に、放送用信号の品質に応じて当該放送用信号の全部または一部を出力する中継システムが記載されている。
【０００４】
また、特許文献２には、放送休止期間をスキップし常時録画を行う録画装置が記載されている。
【先行技術文献】
【特許文献】
【０００５】
【特許文献１】特開２０１０−９８５０２号公報（２０１０年４月３０日公開）
【特許文献２】特開２００３−３１９３１５号公報（２００３年１１月７日公開）
【発明の概要】
【発明が解決しようとする課題】
【０００６】
一方で、近年、複数のチャンネルを常時録画したいというニーズが高まってきている。しかしながら、上述の従来技術は、１つのチャンネルの放送番組を録画する録画処理を主眼としているため、複数チャンネルを常時録画する録画処理に適用したとしても、製造コストを抑制しつつ消費電力の十分な低減を図ることはできない。例えば、特許文献２の技術では、ユーザが選択したチャンネルの放送信号を符号化し、放送休止期間をスキップして、記録手段（録画手段）に書き込む技術が示されているが、たとえ、この技術を複数チャンネル常時録画に適用しようとしても、複数のチャンネル分のチューナと同数の記録手段（録画手段）を用意する必要があるため、製造コストが増大してしまう。
【０００７】
本発明は上記の問題に鑑みてなされたものであり、その目的は、製造コストの上昇を抑制しつつ、複数のチャンネルを常時録画可能であり、消費電力を効率的に削減することができる録画装置を実現することにある。
【課題を解決するための手段】
【０００８】
上記の課題を解決するために、本発明における録画装置は、複数のチャンネルの放送信号をそれぞれ受信するための複数の放送受信手段と、複数の録画手段と、を備えた録画装置であって、各チャンネルの放送休止時間帯を示す放送休止情報を前記放送信号から抽出する抽出手段と、前記複数の放送受信手段の各々を、前記複数の録画手段の何れか一つに割り当てる割り当て手段と、前記複数の録画手段を制御する制御手段と、を備え、各録画手段は、該録画手段に割り当てられた複数の放送受信手段が受信する放送信号が示す映像をそれぞれ録画し、前記制御手段は、ある録画手段に割り当てられた複数の放送受信手段にそれぞれ対応する複数のチャンネルの何れもが放送休止状態になったとき、当該録画手段を停止することを特徴としている。
【０００９】
上記構成によれば、割り当て手段は、複数の放送受信手段の各々を、前記複数の録画手段の何れか一つに割り当てる。録画手段は、前記割り当て手段にて、当該の録画手段に割り当てられた複数の放送受信手段が受信する放送信号が示す映像をそれぞれ録画する。制御手段は、割り当て手段によって、ある録画手段に割り当てられた複数の放送受信手段にそれぞれ対応する前記複数のチャンネルの何れもが放送休止状態になったとき、当該録画手段を停止する。
【００１０】
録画手段が、複数の放送受信手段が受信する放送信号が示す映像をそれぞれ録画することにより、当該録画手段は、複数のチャンネル分の映像を録画することができる。
【００１１】
ここで、録画手段に割り当てられた複数の放送受信手段の何れかが放送休止状態ではないとき、当該録画手段は、録画を行うために動作し続ける必要がある。しかし、本発明の録画装置における録画手段に割り当てられた複数の放送受信手段にそれぞれ対応するチャンネルの何れもが放送休止状態である間は、当該録画手段を停止することができる。これにより、当該録画装置の消費電力を効率的に低減することができる。また、一の録画手段に複数の放送受信手段を割り当てるので、必要な放送受信手段の個数を減らすことができ、製造コストが抑制される。
【００１２】
本発明における前記録画装置の前記割り当て手段は、前記放送休止情報を参照し、前記複数のチャンネルのうち、互いに放送休止時間帯が重なる複数のチャンネルのそれぞれに対応する放送受信手段を、前記複数の録画手段の何れか一つに割り当てることが好ましい。
【００１３】
上記構成によれば、録画装置における録画手段に割り当てられた複数の放送受信手段にそれぞれ対応するチャンネルは、放送休止時間帯が重なる。そのため、当該放送休止状態が重なっている間は、当該録画手段を停止することができる。これにより、より好適に、当該録画装置の消費電力を効率的に低減することができる。
【００１４】
本発明における前記録画装置の前記割り当て手段は、一の録画手段に割り当てるチャンネルの数と、当該一の録画手段に割り当てるチャンネルにおいて互いに重なる放送休止時間帯の長さとの積がより大きくなるように割り当て処理を行うことが好ましい。
【００１５】
上記構成によれば、録画手段に割り当てられた複数の放送受信手段の全てが放送休止状態となる期間がより長くなるため、当該録画手段を停止する期間を長くすることができる。そのため、録画装置の消費電力をより効率的に低減することができる。
【００１６】
本発明における前記録画装置は、前記放送信号から番組に関する情報を表す番組表情報を検出する番組表情報検出手段をさらに備え、前記抽出手段は、前記番組表情報検出手段が検出した前記番組表情報から前記放送休止情報を抽出することが好ましい。
【００１７】
上記構成によれば、番組表情報検出手段は、番組に関する情報を表す番組表情報を放送信号から検出する。番組表情報は、番組のタイトルをはじめ、放送日、番組の開始時刻、終了時刻、チャンネル、番組内容の説明を表すデータなどの情報を含むデータである。そして、抽出手段は、検出した番組表情報に基づいて、前記放送休止情報を抽出する。
【００１８】
これにより、放送休止情報を番組表情報に含まれている番組に関する情報を利用して放送休止となるチャンネルおよび時間帯を把握できるため、放送休止のチャンネルおよび時間帯を正確に抽出できるようになる。
【００１９】
本発明における前記録画装置の前記制御手段は、ある録画手段に割り当てられた複数の放送受信手段にそれぞれ対応する複数のチャンネルの何れかが放送を開始したとき、当該録画手段を起動してもよい。
【００２０】
これにより、録画すべき映像を逃すことなく録画することができる。
【００２１】
上記の課題を解決するために、本発明における録画装置の制御方法は、複数のチャンネルの放送信号をそれぞれ受信するための複数の放送受信手段と、複数の録画手段と、を備えた録画装置の制御方法であって、各チャンネルの放送休止時間帯を示す放送休止情報を前記放送信号から抽出する抽出工程と、前記複数の放送受信手段の各々を、複数の録画手段の何れか一つに割り当てる割り当て工程と、前記割り当て工程において、各録画手段に割り当てられた複数の放送受信手段が受信する放送信号が示す映像をそれぞれ録画する録画工程と、ある録画手段に割り当てられた複数の放送受信手段にそれぞれ対応する複数のチャンネルの何れもが放送休止状態になったとき、当該録画手段を停止する制御工程と、を含むことを特徴としている。
【００２２】
上記の構成によれば、本発明に係る録画装置と同様の効果を奏する。
【００２３】
なお、上記録画装置を備えるテレビジョン受像機も本発明の範疇に含まれる。
【００２４】
また、上記録画装置が備えているコンピュータを動作させるプログラムであって、上記コンピュータを上記の各手段として実行させるためのプログラム、及び当該プログラムを記録したコンピュータ読み取り可能な記録媒体も本発明の技術的範囲に含まれる。
【発明の効果】
【００２５】
本発明における録画装置は、複数のチャンネルの放送信号をそれぞれ受信するための複数の放送受信手段と、複数の録画手段と、を備えた録画装置であって、各チャンネルの放送休止時間帯を示す放送休止情報を前記放送信号から抽出する抽出手段と、前記複数の放送受信手段の各々を、前記複数の録画手段の何れか一つに割り当てる割り当て手段と、前記複数の録画手段を制御する制御手段と、を備え、各録画手段は、該録画手段に割り当てられた複数の放送受信手段が受信する放送信号が示す映像をそれぞれ録画し、前記制御手段は、ある録画手段に割り当てられた複数の放送受信手段にそれぞれ対応する複数のチャンネルの何れもが放送休止状態になったとき、当該録画手段を停止することを特徴としている。
【００２６】
本発明の録画装置における録画手段に割り当てられた複数の放送受信手段にそれぞれ対応するチャンネルの何れもが放送休止状態である間は、当該録画手段を停止することができる。これにより、当該録画装置の消費電力を効率的に低減することができる。また、一の録画手段に複数の放送受信手段を割り当てるので、必要な放送受信手段の個数を減らすことができ、製造コストが抑制される。
【図面の簡単な説明】
【００２７】
【図１】録画装置の構成の概略を示したブロック図である。
【図２】放送休止チャンネルの録画処理手段割り当て処理の流れを示すフローチャートである。
【図３】放送休止時間帯調査処理の流れを示すフローチャートである。
【図４】放送休止時間帯調査テーブルの一例を示す図である。
【図５】チャンネル組み合わせ処理の流れを示すフローチャートである。
【発明を実施するための形態】
【００２８】
本発明の実施形態について、図１から図５を用いて説明する。
【００２９】
（録画装置１の構成）
図１は、本実施形態に係る録画装置１の構成の概略を示したブロック図である。録画装置１は、放送受信部１１、番組表情報検出部（番組表情報検出手段）１２、録画条件設定部１３、放送休止チャンネル・時間帯抽出部（抽出手段）１４、録画手段割当判定部（割り当て手段）１５、接続部（割り当て手段）１６、録画部１７、録画手段停止判定部（制御手段）１８および録画コンテンツ再生部（録画コンテンツ再生手段）１９を備えている。
【００３０】
録画装置１の放送受信部１１は、チャンネルの数（図１においてはＮ個）の放送受信手段（チューナ）を備えている。放送受信手段（１）〜（Ｎ）は、それぞれ、放送信号を各チャンネルからアンテナを介して受信し、受信した放送信号を復調して映像信号や音声信号などを取り出す。そして、放送受信手段（１）〜（Ｎ）は、取り出した映像信号や音声信号をそのままあるいは符号化し、映像データや音声データなどからなる放送データとして接続部１６を介して録画部１７に供給する。
【００３１】
番組表情報検出部１２は、放送受信部１１が受信した放送信号から、現在放送中の番組、あるいは将来放送予定の番組に関する情報を表す番組表情報を検出する。番組表情報は、番組のタイトルをはじめ、放送日、番組の開始時刻、終了時刻、チャンネル、番組内容の説明を表すデータなどの情報を含むデータである。番組表情報としては、例えば、ＥＰＧ（電子番組表）情報や、ＳＩ（Ｓｅｒｖｉｃｅ  Ｉｎｆｏｒｍａｔｉｏｎ：番組配列情報）、ＰＳＩ（Ｐｒｏｇｒａｍ  Ｓｐｅｃｉｆｉｃ  Ｉｎｆｏｒｍａｔｉｏｎ：番組特定情報）に含まれる番組表情報などがある。
【００３２】
なお、本実施形態において、放送受信手段（１）〜（Ｎ）は、常時放送信号を受信し、番組表情報検出部１２は、当該放送信号から番組表を常時取得しているとするが、本発明はこれに限定されない。例えば、ある特定の放送受信手段によって、全ての放送受信手段の番組表情報が取得可能な場合には、番組表情報検出部１２は、番組表情報を受信していない放送受信手段の電源を遮断させてもよい。また、番組表情報検出部１２は、番組表情報として、インターネット上で公開されている番組表データをダウンロードして使用することもできる。このような場合においても、番組表情報検出部１２は、各放送受信手段の電源を遮断させてもよい。さらに、上述した各種の番組表情報を組み合わせて用いてもよく、特に限定はされない。そして、番組表情報検出部１２は、取得した番組表情報を放送休止チャンネル・時間帯抽出部１４に供給する。
【００３３】
録画条件設定部１３は、リモコン（図示せず）等の操作手段を介して入力した指示内容を受け付けて、ユーザの指示内容に含まれる録画条件情報を設定し、当該録画条件情報を放送休止チャンネル・時間帯抽出部１４および録画部１７に供給する。録画条件情報には、録画対象のチャンネルおよび時間帯等が含まれる。例えば、ユーザが地上デジタル放送の全チャンネルを本日１２時から一週間録画する指示を入力した場合、録画条件設定部１３は、当該録画装置１が受信可能な地上デジタル放送の「全チャンネル」および「本日１２時から一週間」という録画条件情報を放送休止チャンネル・時間帯抽出部１４および録画部１７に供給する。
【００３４】
なお、本実施形態における録画装置１において、ユーザは、番組表情報検出部１２が検出した番組表情報から、各チャンネルの放送予定の番組表情報を用いて指示内容を入力するものとする。なお、ユーザが指示内容を入力する方法はこれに限定されず、番組表情報を用いずに入力してもよい。
【００３５】
また、本実施形態における録画装置１において、録画条件設定部１３は、常に全チャンネルの全時間帯の録画を行うように、録画条件情報を設定してもよい。
【００３６】
放送休止チャンネル・時間帯抽出部１４は、番組表情報検出部１２から供給された番組表情報と、録画条件設定部１３から供給された録画条件情報に基づいて、録画対象のチャンネルおよび時間帯における放送休止予定情報（放送休止情報）を抽出する。ここで、放送休止予定情報とは、例えば、放送休止予定のチャンネルおよび当該チャンネルにおける放送休止時間帯など、放送が休止になる時間帯を特定する情報である。なお、本実施形態において、放送休止時間帯とは、放送休止予定のチャンネルにおける放送休止の日付、放送休止の時間（放送休止開始時刻から放送休止終了時刻）を示す。放送休止チャンネル・時間帯抽出部１４は、抽出した放送休止予定情報を録画手段割当判定部１５および録画手段停止判定部１８に供給する。このように、放送休止予定情報を番組表情報から抽出することにより、番組表情報に含まれている番組に関する情報を利用して放送休止予定のチャンネルおよび時間帯を把握できるため、放送休止のチャンネルおよび時間帯を正確に抽出できるようになる。なお、放送休止チャンネル・時間帯抽出部１４における放送休止予定情報を抽出する処理（放送休止時間帯調査処理）については後述する。
【００３７】
録画手段割当判定部１５は、放送休止チャンネル・時間帯抽出部１４が抽出した放送休止予定情報に基づいて、複数のチャンネルのうち、互いに放送休止状態時間帯が重なる複数のチャンネルを組み合わせる（チャンネル組み合わせ処理）。録画手段割当判定部１５は、組み合わせた１または複数のチャンネルのそれぞれに対応する放送受信手段が受信した番組を複数の録画手段の何れか一つで録画するように、組み合わせた１または複数のチャンネルのそれぞれに対応する放送受信手段を当該録画手段に割り当てる。録画手段割当判定部１５は、各録画手段に割り当てた１または複数のチャンネルを示す情報（割当結果）を接続部１６および録画手段停止判定部１８に供給する。また、録画手段割当判定部１５は、割当結果と共に、各録画手段に割り当てられた１または複数のチャンネルの全てが休止する時間帯を録画手段停止判定部１８に供給する。なお、録画手段割当判定部１５におけるチャンネル組み合わせ処理については後述する。
【００３８】
接続部１６は、録画手段割当判定部１５の割当結果に基づいて、放送受信手段（１）〜（Ｎ）を録画手段（１）〜（Ｍ）の何れかに接続する。例えば、ユーザから全チャンネルの録画指示を受け付けたとき、録画装置１が受信可能なチャンネル数が８であり、チャンネル（１）〜（８）（放送受信手段（１）〜（８）にそれぞれ対応）のうち、録画手段割当判定部１５の割当結果が、［ａ］放送受信手段（２）、放送受信手段（７）および放送受信手段（８）を録画手段（１）に割り当てる、［ｂ］放送受信手段（５）および放送受信手段（６）を録画手段（２）に割り当てる、［ｃ］放送受信手段（１）、放送受信手段（３）および放送受信手段（４）を録画手段（３）に割り当てる、であるとする。このとき、接続部１６は、［ａ］放送受信手段（２）、放送受信手段（７）および放送受信手段（８）と録画手段（１）とを接続し、［ｂ］放送受信手段（５）および放送受信手段（６）と録画手段（２）とを接続し、［ｃ］放送受信手段（１）、放送受信手段（３）および放送受信手段（４）と録画手段（３）とを接続する。
【００３９】
録画部１７は、複数の録画手段（図１においてはＭ個）を備えている。録画部１７は録画条件設定部１３によって設定された録画条件情報に基づいて、接続部１６によって各録画手段に接続された１または複数の放送受信手段がそれぞれ受信する放送信号が示す映像（番組、コンテンツ）の録画を行う。録画手段（１）〜（Ｍ）には、それぞれ番組を録画するための記憶手段（図示しない）が接続されている。記憶手段としては、例えば、２ＴＢのハードディスク等が挙げられるであるが、本発明における記憶手段はこれに限定されない。また、録画手段（１）〜（Ｍ）は、各放送受信手段が受信する放送信号のフィルタリングを行い、放送信号からデータ情報を取得する手段、各放送受信手段が受信する放送信号の圧縮処理を行う手段、トランスコードするトランスコーダー等を備えていてもよい。
【００４０】
例えば、録画条件情報に含まれる録画対象のチャンネルおよび時間帯が、「チャンネル（２）」および「本日１２時から一週間」である場合、チャンネル（２）に対応する放送受信手段（２）が接続された録画手段（上記例の場合、録画手段（１））は、本日１２時から一週間、放送受信手段（２）が受信する番組の録画を行う。また、録画部１７は、録画手段停止判定部１８の指示に従い、録画手段（１）〜（Ｍ）の動作（録画）を停止する。また、録画部１７は、録画手段停止判定部１８の指示に従い、録画手段（１）〜（Ｍ）の動作（録画）を再開する。
【００４１】
録画手段停止判定部１８は、複数の録画手段を制御する。録画手段停止判定部１８は、各録画手段の停止要否を、録画手段割当判定部１５から供給された割当結果および各録画手段に割り当てられた１または複数のチャンネルの全てが休止する時間帯と、放送休止チャンネル・時間帯抽出部１４によって抽出された放送休止チャンネルおよび放送休止時間帯を参照し、常時監視する。各録画手段にそれぞれ割り当てられた複数のチャンネルの何れもが放送休止状態となったとき、録画手段停止判定部１８は、当該録画手段を停止するよう制御する。上記例において、録画手段（１）に割り当てられた放送受信手段（２）、放送受信手段（７）および放送受信手段（８）が全て放送休止となった場合、録画手段停止判定部１８は録画手段（１）を停止するよう録画部１７に指示し、録画手段（１）への電源供給を切断することにより、録画手段（１）を停止させる。
【００４２】
また、録画手段停止判定部１８は、停止している１または複数の録画手段にそれぞれ割り当てられた複数のチャンネルのうち少なくとも一部のチャンネルの放送の開始を監視する。停止している１または複数の録画手段にそれぞれ割り当てられた１または複数の放送受信手段にそれぞれ対応するチャンネルの何れかが放送を開始したとき、録画手段停止判定部１８は、当該放送が開始されたチャンネルに対応する放送受信手段が割り当てられた録画手段の動作を再開するよう制御する。上記例において、チャンネル（２）、チャンネル（７）およびチャンネル（８）の何れかの放送が開始されると、録画手段停止判定部１８は、録画手段（１）が起動するよう、録画手段（１）への電源供給を再開し、録画手段（１）の動作を再開するよう録画部１７に指示する。これにより、録画すべき映像を逃すことなく録画手段に録画することができる。
【００４３】
録画コンテンツ再生部１９は、録画部１７にて録画された番組（コンテンツ）を再生する。
【００４４】
（放送休止チャンネルの録画処理手段割り当て処理）
次に、図２を参照して、放送休止チャンネル・時間帯抽出部１４および録画手段割当判定部１５が行う放送休止チャンネルの録画処理手段割り当て処理について説明を行う。図２は、放送休止チャンネルの録画処理手段割り当て処理の流れを示すフローチャートである。
【００４５】
まず、放送休止チャンネル・時間帯抽出部１４が、録画対象チャンネルの放送休止時間帯を調査（放送休止予定情報を抽出）する（ステップＳ１。以下、単にＳ１とする）。Ｓ１の詳細については、後述する。
【００４６】
次に、Ｓ１にて抽出された放送休止予定情報を用いて、録画手段割当判定部１５は、延べ休止時間が最大となるチャンネル（ｃｈ）の組み合わせを求める（Ｓ２）。延べ休止時間とは、一の録画手段に割り当てるチャンネル数と当該一の録画手段に割り当てるチャンネル数において互いに重なる放送休止時間帯の長さとの積（チャンネル数×総休止時間）のことである。ここで、録画手段が複数あり、延べ休止時間が最大となるチャンネルの組み合わせに含まれるチャンネル以外のチャンネルにも放送休止時間が存在する場合、チャンネルの組み合わせに含まれるチャンネル以外のチャンネルに関して、Ｓ２を繰り返すことにより、複数の録画手段のそれぞれにチャンネルを割り当てることができる。なお、Ｓ２の詳細については後述する。
【００４７】
その後、録画手段割当判定部１５は、Ｓ２にて求めた１または複数のチャンネルの組み合わせ（組み合わせチャンネル）を特定の録画手段に割り当て、その他のチャンネルを残りの録画手段に割り当てる（Ｓ３）。組み合わせチャンネルを各録画手段に割り当てる方法は、受信放送チャンネルのビットレート、レコーダ（録画手段）の記録画質設定、録画手段の記録可能速度等に依存する。例えば、各チャンネルのビットレートが１０Ｍｂｐｓ、録画手段の記録可能速度が３０Ｍｂｐｓであるとする。このとき、Ｓ２にて求められた組み合わせチャンネルが［ａ］チャンネル（１）〜（３）、［ｂ］チャンネル（４）〜（６）である場合、［ａ］放送受信手段（１）〜（３）を録画手段（１）に、［ｂ］放送受信手段（４）〜（６）を録画手段（２）に割り当てる。録画手段割当判定部１５は、このように割り当てを行った結果（割当結果）を出力する。
【００４８】
（放送休止時間帯調査処理）
Ｓ１において、放送休止チャンネル・時間帯抽出部１４が放送休止予定情報を抽出する処理（放送休止時間帯調査処理）について、図３を参照して説明を行う。図３は、放送休止時間帯調査処理の流れを示すフローチャートである。
【００４９】
まず、放送休止時間帯調査テーブルを初期化する。このとき、当該放送休止時間帯調査テーブルにおける放送休止予定のチャンネル（放送休止予定チャンネル）の取得結果も初期化（クリア）する（Ｓ３１）。ここで、放送休止時間帯調査テーブルとは、放送休止予定情報を、日付および時間ごとに管理したテーブルである。放送休止時間帯調査テーブルの詳細については後述する。
【００５０】
次に、放送休止調査対象チャンネルを初期化する（Ｓ３２）。ここで、放送休止調査対象チャンネルとは、録画条件情報に含まれる録画対象のチャンネルのうち、放送休止の調査を行う対象のチャンネルを示す。初期化の方法としては、特に限定されないが、例えば、録画対象のチャンネルのうち、１件目のチャンネルを放送休止調査対象チャンネルとする。
【００５１】
更に、放送休止調査対象時間帯を初期化する（Ｓ３３）。ここで、放送休止調査対象時間帯とは、録画条件情報に含まれる録画対象の時間帯のうち、放送休止の調査を行う対象の日付および時間を示す。初期化の方法としては、特に限定されないが、例えば、録画対象の時間帯のうち、録画開始の時間帯（例えば、本日の０：００〜０：１０）を放送休止調査対象時間帯とする。なお、本実施形態では、放送休止調査対象時間帯は、１０分間隔とするが、放送休止調査対象時間帯の長さはこれに限定されない。
【００５２】
全ての初期化の終了後、放送休止調査対象チャンネルにおける放送休止調査対象時間帯が、放送休止予定か否かを判定する（Ｓ３４）。放送休止の予定がある場合（Ｓ３４にてＹＥＳ）、放送休止調査対象チャンネルを放送休止時間帯調査テーブルの、放送休止調査対象時間帯が示す時間帯に登録する（Ｓ３５）。放送休止の予定がない場合（Ｓ３４にてＮＯ）、Ｓ３５をスキップする。
【００５３】
次に、録画対象の全ての時間帯、つまり録画対象の全ての日付における全ての時間（録画対象全時間帯）の調査が終了したか否かを判定する（Ｓ３６）。録画対象全時間帯の調査が終了していない場合（Ｓ３６にてＮＯ）、放送休止調査対象時間帯を１０分増やす（Ｓ３８）。例えば、放送休止調査対象時間帯が本日の０：００〜０：１０である場合、Ｓ３８では、当該放送休止対象時間帯を１０分増やし本日の０：１０〜０：２０とする。その後、Ｓ３４に戻り、１０分増えた放送休止調査対象時間帯で放送休止予定を調査する。
【００５４】
録画対象全時間帯の調査が終了している場合（Ｓ３６にてＹＥＳ）、録画対象の全てのチャンネル（録画対象全チャンネル）の調査が終了したか否かを判定する（Ｓ３７）。録画対象全チャンネルの調査が終了していない場合（Ｓ３７にてＮＯ）、放送休止対象チャンネルを次の録画対象のチャンネルにする（Ｓ３９）。その後、Ｓ３３に戻り、当該放送休止対象チャンネルにおいて、全時間帯で放送休止予定を調査する。
【００５５】
録画対象全チャンネルの調査が終了している場合（Ｓ３７にてＹＥＳ）、放送休止チャンネル・時間帯抽出部１４は、処理を終了する。
【００５６】
（放送休止時間帯調査テーブルについて）
放送休止時間帯調査処理にて使用する放送休止時間帯調査テーブルについて、図４を参照して説明を行う。図４は、放送休止時間帯調査テーブルの一例を示す図である。
【００５７】
図４に示すように放送休止時間帯調査テーブルは、録画対象の日付および時間ごとに放送休止予定情報を管理したテーブルである。放送休止予定の時間の間隔は、放送休止調査対象時間帯の長さに合わせて管理されている。
【００５８】
図４に示すように、７月１日の０：００〜０：１０に放送休止予定のチャンネルがなかった場合、放送休止予定チャンネルは登録されない（図４においては、（無）と表示）。７月１日の２：３０〜２：４０に放送休止予定のチャンネルがチャンネル２（ｃｈ２）とチャンネル７（ｃｈ７）である場合、放送休止チャンネル・時間帯抽出部１４は、Ｓ３５にて当該放送休止対象チャンネル（ｃｈ２、ｃｈ７）が当該時間帯（７月１日の２：３０〜２：４０）に登録する。このように、放送休止チャンネル・時間帯抽出部１４は、放送休止時間帯調査処理において、放送休止時間帯調査テーブルを生成することにより、放送休止予定情報を抽出する。
【００５９】
（チャンネル組み合わせ処理）
Ｓ２において、録画手段割当判定部１５が、延べ休止時間（チャンネル×休止時間）が最大となるチャンネル（ｃｈ）の組み合わせを求める処理（チャンネル組み合わせ処理）について、図５を参照して説明を行う。図５は、チャンネル組み合わせ処理の流れを示すフローチャートである。
【００６０】
まず、チャンネル組み合わせ処理における初期化を行う。具体的には、延べ休止時間の最大値をクリア（０を代入）する。また、調査するチャンネル（録画対象チャンネル）の全組み合わせを求める。例えば、録画手段（１）〜（Ｍ）のそれぞれに録画可能なチャンネル数が、それぞれ３チャンネルであり、録画対象チャンネル数が４である場合、各録画手段へ入力するチャンネル数が１〜３となる全ての組み合わせを求める。よって、４Ｃ１＋４Ｃ２＋４Ｃ３＝４＋６＋４＝１４通りの組み合わせを求める（Ｓ５１）。
【００６１】
次に、Ｓ５１で求めた録画対象チャンネルの組み合わせのうち、延べ休止時間を求める組み合わせ（計算対象チャンネル（ｃｈ）組み合わせ）の初期値を設定する（Ｓ５２）。初期値は、特に限定されないが、例えば、チャンネル（１）〜（３）とする。
【００６２】
更に、調査対象時間帯を初期化する（Ｓ５３）。ここで、調査対象時間帯とは、録画条件情報に含まれる録画対象の時間帯のうち、放送休止時間の調査を行う対象の日付および時間を示す。初期化の方法としては、特に限定されないが、例えば、録画対象の時間帯のうち、録画開始の時間帯（例えば、本日の０：００〜０：１０）を調査対象時間帯とする。なお、本実施形態では、調査対象時間帯は、放送休止調査対象時間帯の間隔と同じ間隔である１０分間隔とするが、調査対象時間帯の長さはこれに限定されない。
【００６３】
次に、延べ休止時間の一時記憶値をクリアする（Ｓ５４）。
【００６４】
その後、調査対象時間帯において、計算対象チャンネル組み合わせに含まれる全てのチャンネルが放送休止か否かを判定する（Ｓ５５）。計算対象チャンネル組み合わせに含まれる全てのチャンネルが放送休止である場合（Ｓ５５にてＹＥＳ）、延べ休止時間の一時記憶値を積算する。具体的には、当該計算対象チャンネル組み合わせに含まれるチャンネル数に調査対象時間帯の長さ（ここでは、１０分）を乗じた値を、現在の延べ休止時間に加える（Ｓ５６）。
【００６５】
次に、Ｓ５６にて積算した延べ休止時間の一時記憶値が延べ休止時間の最大値を越えているか否かを判定する（Ｓ５７）。延べ休止時間の一時記憶値が延べ休止時間の最大値を超えている場合（Ｓ５７にてＹＥＳ）、延べ休止時間の最大値を延べ休止時間の一時記憶値に更新する（Ｓ５８）。また、Ｓ５８において、延べ休止時間の最大値を更新した際の計算対象チャンネル組み合わせを記憶する。また、調査対象時間帯を記憶する。個々で記憶される調査対象時間帯は、当該チャンネル組み合わせにおける全チャンネルの休止時間帯を示している。
【００６６】
計算対象チャンネル組み合わせに含まれる全てのチャンネルが放送休止でない場合（Ｓ５５にてＮＯ）、延べ休止時間の一時記憶値が延べ休止時間の最大値を超えていない場合（Ｓ５７にてＮＯ）、またはＳ５８終了後、調査対象の全ての時間帯の調査が終了したか否かを判定する（Ｓ５９）。調査対象の全ての時間帯の調査が終了していない場合（Ｓ５９にてＮＯ）、調査対象時間帯を１０分増やす（Ｓ６０）。例えば、調査対象時間帯が本日の０：００〜０：１０である場合、Ｓ６０では、当該調査対象時間帯を１０分増やし本日の０：１０〜０：２０とする。その後、Ｓ５５に戻り、１０分増えた調査対象時間帯で全てのチャンネルが放送休止であるか否かを調査する。
【００６７】
調査対象の全ての時間帯の調査が終了している場合（Ｓ５９にてＹＥＳ）、全ての録画対象チャンネルの組み合わせの調査が終了したか否かを判定する（Ｓ６１）。上述の例では、１４通りの組み合わせ全ての調査が終了したか否かを判定する。全ての録画対象チャンネルの組み合わせの調査が終了していない場合（Ｓ６１にてＮＯ）、計算対象チャンネル組み合わせを次の録画対象チャンネルの組み合わせに設定する（Ｓ６２）。その後、Ｓ５３に戻り、当該計算対象チャンネル組み合わせにおいて、延べ休止時間帯を調査する。
【００６８】
全ての録画対象チャンネルの組み合わせの調査が終了している場合（Ｓ６１にてＹＥＳ）、録画手段割当判定部１５は、チャンネル組み合わせ処理を終了し、Ｓ５８において記憶した計算対象チャンネル組み合わせを、延べ休止時間が最大となるチャンネル（ｃｈ）の組み合わせとして設定する。
【００６９】
また、録画手段割当判定部１５は、Ｓ５８で記憶した当該チャンネル組み合わせにおける調査対象時間帯を録画手段停止判定部１８に供給する。
【００７０】
以上のように、本実施形態における録画装置１の録画手段（１）〜（Ｍ）のそれぞれが、複数の放送受信手段が受信する放送信号が示す映像をそれぞれ録画することにより、当該録画手段は、複数のチャンネル分の映像を録画することができる。
【００７１】
ここで、ある録画手段に割り当てられた複数の放送受信手段（１）〜（Ｎ）の何れかが放送休止状態ではないとき、当該録画手段は、録画を行うために動作し続ける必要がある。しかし、本発明の録画装置１の録画手段に割り当てられた複数の放送受信手段にそれぞれ対応するチャンネルは、放送休止時間帯が重なる。そのため、当該放送休止状態が重なっている間は、当該録画手段を停止することができる。そのため、録画装置１の消費電力を効率的に低減することができる。また、一の録画手段に複数の放送受信手段を割り当てるので、必要な放送受信手段の個数を減らすことができ、製造コストが抑制される。
【００７２】
また、延べ休止時間が最大となるチャンネルの組み合わせを求めることにより、録画手段に割り当てられた複数の放送受信手段の全てが放送休止状態となる期間がより長くなるため、当該録画手段を停止する期間を長くすることができる。そのため、録画装置１の消費電力をより効率的に低減することができる。
【００７３】
なお、本発明における録画装置を備えるテレビジョン受像機も本発明の範疇に含まれる。
【００７４】
〔プログラム及び記録媒体〕
また、上述した録画装置１の各ブロックは、ハードウェアロジックによって構成してもよいし、次のようにＣＰＵを用いてソフトウェアによって実現してもよい。
【００７５】
すなわち、録画装置１は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラム及び各種データを格納するメモリ等の記憶装置（記録媒体）などを備えている。そして、本発明の目的は、上述した機能を実現するソフトウェアである録画装置１の制御プログラム（認証プログラム）のプログラムコード（実行形式プログラム、中間コードプログラム、ソースプログラム）をコンピュータで読み取り可能に記録した記録媒体を、上記録画装置１に供給し、そのコンピュータ（またはＣＰＵやＭＰＵ）が記録媒体に記録されているプログラムコードを読み出し実行することによっても、達成可能である。
【００７６】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【００７７】
また、録画装置１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ（high data rate）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【００７８】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００７９】
本発明は、複数の受信手段が受信した放送信号が示す映像を録画可能な録画装置に好適に適用することができる。
【符号の説明】
【００８０】
１  録画装置
１１  放送受信部（放送受信手段）
１２  番組表情報検出部
１３  録画条件設定部
１４  放送休止チャンネル・時間帯抽出部（抽出手段）
１５  録画手段割当判定部（割り当て手段）
１６  接続部（割り当て手段）
１７  録画部（録画手段）
１８  録画手段停止判定部（制御手段）
１９  録画コンテンツ再生部（録画コンテンツ再生手段）
【図１】
2013131931.tif 000003
【図２】
2013131931.tif 000004
【図３】
2013131931.tif 000005
【図４】
2013131931.tif 000006
【図５】
2013131931.tif 000007